(57)【特許請求の範囲】
【請求項１】
室内と室外を連通する通風路を形成する筒状の本体部と、
前記本体部の前面開口部にこの前面開口部を開閉するパネル部と、
前記本体部に前記パネル部を前後方向に移動操作することによる前後方向の所定の位置に前記パネル部を着脱可能に係合して保持する軸部を設けた機構部を有し、
前記本体部の前面開口部に前後方向に摺動可能に支持され、通常は弾性部材による付勢力により前面開口部を閉止する位置に保持され、室内外の圧力差による室内の負圧に応じて前面開口部から離反してその通風路を開放するシャッターを備え、
このシャッターは、前記パネル部を後方向の所定の位置に移動することにより、閉状態に固定されるものであって、
前面開口部の内側に収まり前記室外側に向かって突出する斜面を有し、前記斜面の内側に向かって凸形状に湾曲するシャッターを備えたことを特徴とする換気口。
【発明の詳細な説明】
【技術分野】
【０００１】
本発明は、建物の壁等に設置し、換気扇等の排気により発生する室内外の差圧に反応して給気を行なう差圧作動式のシャッターを有する換気口に関する。
【背景技術】
【０００２】
従来のこの種の差圧作動式のシャッターを有する換気口は、特許文献１に開示されるものがあり、図１４に示すように、以下のような構成となっていた。すなわち、建物の室内に取り付けて、台所の換気扇の排気によって生じる室内側の負圧に応じて本体筒部１０１の前面開口部１０２を開放するシャッター１０３と前記シャッター１０３を支持する差圧機構１０４を、本体筒部１０１の内部１０５と前面の化粧パネル１０６内に有する構成となっていた。
【先行技術文献】
【特許文献】
【０００３】
【特許文献１】特開平１０−２０５８７０号公報
【発明の概要】
【発明が解決しようとする課題】
【０００４】
このような従来の差圧作動式のシャッターを有する換気口は、台風など強風が室内に流入することを防止するために一時的にシャッター１０３を閉じた状態で固定するための操作手段１０８が化粧パネル１０６の下方から突出するため外観上煩雑になるという課題があった。
【０００５】
そこで本発明は、上記従来の課題を解決するものであり、操作手段をパネル下方から突出させず外観上美感の良い換気口を提供することを目的とする。
【課題を解決するための手段】
【０００６】
そして、この目的を達成するために、本発明は、室内と室外を連通する通風路を形成する筒状の本体部と、前記本体部の前面開口部にこの前面開口部を開閉するパネル部と、前記本体部に前記パネル部を前後方向に移動操作することによる前後方向の所定の位置に前記パネル部を着脱可能に係合して保持する軸部を設けた機構部を有した換気口において、前記本体部の前面開口部に前後方向に摺動可能に支持され、通常は弾性部材による付勢力により前面開口部を閉止する位置に保持され、室内外の圧力差による室内の負圧に応じて前面開口部から離反してその通風路を開放するシャッターを備え、このシャッターは、前記パネル部を後方向の所定の位置に移動することにより、閉状態に固定されるものであり、これにより所期の目的を達成するものである。
【発明の効果】
【０００７】
以上のように、本発明によれば、室内と室外を連通する通風路を形成する筒状の本体部と、前記本体部の前面開口部にこの前面開口部を開閉するパネル部と、前記本体部に前記パネル部を前後方向に移動操作することによる前後方向の所定の位置に前記パネル部を着脱可能に係合して保持する軸部を設けた機構部を有した換気口において、前記本体部の前面開口部に前後方向に摺動可能に支持され、通常は弾性部材による付勢力により前面開口部を閉止する位置に保持され、室内外の圧力差による室内の負圧に応じて前面開口部から離反してその通風路を開放するシャッターを備え、このシャッターは、前記パネル部を後方向の所定の位置に移動することにより、閉状態に固定されるという構成にしたことにより、前記シャッターを閉状態に固定する操作手段として前記パネル部を用いることができるので、操作手段をパネル下方から突出させず外観上美感の良い換気口を提供することができるという効果を得ることができる。
【図面の簡単な説明】
【０００８】
【図１】本発明の実施の形態１の換気口の構成を示す断面図
【図２】同換気口の構成を示す断面図
【図３】同換気口の構成を示す断面図
【図４】同換気口の構成を示す断面図
【図５】同換気口の機構部の構成を示す斜視図
【図６】同換気口の保持部の構成を示す斜視図
【図７】同換気口の構成を示す断面図
【図８】同換気口のシャッターの構成を示す斜視図
【図９】同換気口の構成を示す断面図
【図１０】同換気口のシャッターの構成を示す斜視図
【図１１】同換気口の保持部の構成を示す斜視図
【図１２】同換気口の構成を示す断面図
【図１３】同換気口の構成を示す断面図
【図１４】従来の換気口の構成を示す断面図
【発明を実施するための形態】
【０００９】
本発明の換気口は、室内と室外を連通する通風路を形成する筒状の本体部と、前記本体部の前面開口部にこの前面開口部を開閉するパネル部と、前記本体部に前記パネル部を前後方向に移動操作することによる前後方向の所定の位置に前記パネル部を着脱可能に係合して保持する軸部を設けた機構部を有した換気口において、前記本体部の前面開口部に前後方向に摺動可能に支持され、通常は弾性部材による付勢力により前面開口部を閉止する位置に保持され、室内外の圧力差による室内の負圧に応じて前面開口部から離反してその通風路を開放するシャッターを備え、このシャッターは、前記パネル部を後方向の所定の位置に移動することにより、閉状態に固定されるという構成を有する。これにより、前記シャッターを閉状態に固定する操作手段として前記パネル部を用いることができるので、操作手段をパネル下方から突出させず外観上美感の良い換気口を提供することができるという効果を奏する。
【００１０】
また、シャッターを付勢する弾性部材を機構部の外周を覆う位置に配設するという構成にしてもよい。これにより、弾性部材の中心軸と機構部の軸部が同軸上になることとなり、シャッター、弾性部材の構成が簡単となるという効果を奏する。
【００１１】
また、前後方向の所定の位置に保持する軸部を設けた機構部の外周に、シャッターを前後方向に摺動を可能に支持しシャッターを付勢する弾性部材を保持し内面に凸部を有した保持部を配設し、前記機構部に前記保持部の凸部が前後方向に挿入可能にし、かつ回動して係止する凹部を形成するという構成にしてもよい。これにより、シャッターと弾性部材を保持しながら保持部を、回転し、引き抜くことで、機構部からはずすことができ、また、機構部に挿入し、回転させることで取り付けることができ、着脱可能となることとなり、シャッター部分と本体部内部のメンテナンスを容易にすることができるという効果を奏する。
【００１２】
また、シャッターの室外側下部に本体部の筒状内側に当接する遮蔽板を設けるという構成にしてもよい。これにより、遮蔽板により給気される空気の下方向への流入を遮断し、上、左右方向からの流入することとなり、人に与えるドラフト感をなくすことができるという効果を奏する。
【００１３】
また、シャッターと保持部に互いに前後方向に摺動可能に勘合する凹部凸部の形状を設けるという構成にしてもよい。これにより、凹部と凸部が勘合し合いシャッターの回動を抑制することとなり、遮蔽板が常に下方向に位置することができるという効果を奏する。
【００１４】
また、前面開口部の内側に収まり室外側に向かって突出する斜面を有するシャッターを備えるという構成にしてもよい。これにより、本体部の筒状内側、シャッターの斜面、パネル部により形成される給気される空気の流路がスムースになることとなり、抵抗損失を低減することができるという効果を奏する。
【００１５】
以下、本発明の実施の形態について、図面を参照しながら説明する。
【００１６】
（実施の形態１）
図１および図２および図３に示すように、室内と室外を連通する通風路１を形成する筒状の本体部２と、本体部２の前面開口部５にこの前面開口部５を開閉するパネル部６と、本体部にパネル部６を前後方向に移動操作することによる前後方向の所定の位置にパネル部６を着脱可能に係合して保持する軸部３を設けた機構部４を有した換気口７において、本体部２の前面開口部５に前後方向に摺動可能に支持され、機構部４の外周を覆う位置に設けた弾性部材８による付勢力により通常は前面開口部５を閉止する位置に保持され、室内外の圧力差による室内の負圧によりシャッター９が室内側に引っ張られる力が、弾性部材８の付勢力より大きくなるとシャッター９が前面開口部５から離反して通風路１を開放するシャッター９を備え、このシャッター９は、パネル部６を後方向の所定の位置に移動することにより、閉状態に固定されるという構成にする。
【００１７】
上記構成により、シャッター９を閉状態に固定する操作手段としてパネル部６を用いることができるので、操作手段をパネル部６の下方から突出させず外観上美感の良い換気口を提供することができる。
【００１８】
また、弾性部材８の中心軸と機構部４の軸部３が同軸上になることとなり、シャッター９、弾性部材８の構成が簡単となる。
【００１９】
なお、シャッター９の閉状態とは、前面開口部５をシャッター９で覆い給気されない状態である。
【００２０】
また、前方向とは室内側方向であり、後方向とは室外側方向である。
【００２１】
また、弾性部材８は、例えば、コイルバネを用いるが、弾性を有しているものであれば特に限定されない。
【００２２】
また、前後方向の所定の位置とは、パネル部６が本体部２の前面を覆って塞いだ閉状態となるようなパネル部６の位置と、パネル部６が本体部２の前面から離反した開状態となるようなパネル部６の位置をいうが、パネル部６が前者の位置と後者の位置の中間であって本体部２の前面が半開状態となるようなパネル部６の位置であってもよい。
【００２３】
また、図４および図５および図６に示すように、前後方向の所定の位置に保持する軸部３Ａを設けた機構部４Ａの外周に、シャッター９Ａを前後方向に摺動を可能に支持しシャッター９Ａを付勢する弾性部材８Ａを保持し内面に凸部１０を有した保持部１１を配設し、機構部４Ａに保持部１１の凸部１０が前後方向に挿入可能にし、かつ回動して係止する凹部１２を形成した構成とする。
【００２４】
上記構成により、シャッター９Ａと弾性部材８Ａを保持しながら保持部１１を、回転し、引き抜くことで、機構部４Ａからはずすことができ、また、機構部４Ａに挿入し、回転させることで取り付けることができ、着脱可能となることとなる。
【００２５】
よって、シャッター９Ａ部分と本体部２Ａ内部のメンテナンスを容易にすることができることとなる。
【００２６】
また、図７および図８に示すように、シャッター９Ｂの室外側下部１３に本体部２Ｂの筒状内側１４に当接する遮蔽板１５を設けた構成とする。
【００２７】
上記構成により、遮蔽板１５により給気される空気の下方向への流入を遮断し、上、左右方向からの流入することとなる。
【００２８】
よって、人に与えるドラフト感をなくすことができることとなる。
【００２９】
また、図９および図１０および図１１に示すように、シャッター９Ｃと保持部１１Ａに互いに前後方向に摺動可能に勘合する凹部１６凸部１７の形状を設けた構成とする。
【００３０】
上記構成により、凹部１６と凸部１７が勘合し合いシャッター９Ｃの回動を抑制することとなる。
【００３１】
よって、遮蔽板１５Ａが常に下方向に位置することができることとなる。
【００３２】
また、図１２に示すように、前面開口部５Ａの内側に収まり室外側に向かって突出する斜面１８を有するシャッター９Ｄを備えた構成としてもよい。
【００３３】
これにより、給気される空気のスムースな流路を形成することとなる。
【００３４】
すなわち、室外から給気される空気は、本体部２の筒状内側の通風路１を通り、室外側に向かって突出するシャッター９Ｄの斜面１８に沿ってなだらかに風向を進行方向に向かって直角方向に変化させて、本体部２の前面とパネル部６の間の空間を通って室内に供給されるので、空気の流路がスムースになり、抵抗損失を低減することができるという効果を奏する。
【００３５】
また、図１３に示すように、室外側に向かって突出するシャッター９Ｄの斜面１８は、斜面１８の内側に向かって凸形状に湾曲していてもよい。
【００３６】
これにより、給気される空気は、本体部２の筒状内側の通風路１を通り、室外側に向かって突出するシャッター９Ｄの斜面１８に沿ってよりなだらかに風向を進行方向に向かって直角方向に変化させることができるので、空気の流路がよりスムースになり、抵抗損失を低減することができるという効果を奏する。
【００３７】
よって、抵抗損失を低減することができることとなる。
【産業上の利用可能性】
【００３８】
本発明にかかる換気口は、操作手段をパネル部から突出させないことを可能とするものであるので、室外に設置される外壁端末換気口などとしても有用である。
【符号の説明】
【００３９】
１      通風路
２      本体部
２Ａ    本体部
２Ｂ    本体部
３      軸部
３Ａ    軸部
４      機構部
４Ａ    機構部
５      前面開口部
５Ａ    前面開口部
６      パネル部
７      換気口
８      弾性部材
８Ａ    弾性部材
９      シャッター
９Ａ    シャッター
９Ｂ    シャッター
９Ｃ    シャッター
９Ｄ    シャッター
１０    凸部
１１    保持部
１１Ａ  保持部
１２    凹部
１３    室外側下部
１４    筒状内側
１５    遮蔽板
１５Ａ  遮蔽板
１６    凹部
１７    凸部
１８    斜面
【図１】
0005870236.tif 000002
【図２】
0005870236.tif 000003
【図３】
0005870236.tif 000004
【図４】
0005870236.tif 000005
【図５】
0005870236.tif 000006
【図６】
0005870236.tif 000007
【図７】
0005870236.tif 000008
【図８】
0005870236.tif 000009
【図９】
0005870236.tif 000010
【図１０】
0005870236.tif 000011
【図１１】
0005870236.tif 000012
【図１２】
0005870236.tif 000013
【図１３】
0005870236.tif 000014
【図１４】
0005870236.tif 000015